(57)【要約】【課題】電話機であって、通話中に通話時間が制限される事態がユーザに発生した場合に、その旨を発呼側に伝達し、制限された時間内での通話を実行する。【解決手段】  通話中に、ユーザからの予め定められているコマンドを受け付けた電話機は、コマンドに対応する報知メッセージを報知する。報知されたメッセージは通話相手にも伝達される。そして、コマンドを受けたタイミングから、当該コマンドで指定される時間をカウントダウンする。そして、カウントが「０」になると、電話機は強制的に通話回線を遮断する。【選択図】図４
2009212601.tif 000002
【特許請求の範囲】
【請求項１】
通話中に所定の入力を検出する検出手段と、
前記検出手段で検出した所定の入力の内容に従って、通話を終了する時間情報を通話相手に伝達する伝達手段と、
前記所定の入力を検出した後に、経過時間を計測する計測手段と、
前記経過時間と前記時間情報で示される時間とを比較し、比較した結果に応じた所定の制御を実行する制御手段とを備える
ことを特徴とする電話機。
【請求項２】
前記所定の入力はユーザからのキー入力であり、
前記電話機は、
前記キー入力に応じて、出力すべき時間情報を記憶する記憶手段と、
受け付けたキー入力に応じて、前記記憶手段を検索して出力すべき時間情報を決定する決定手段を備え、
前記伝達手段は、時間情報として前記決定手段が決定した時間情報を伝達する
ことを特徴とする請求項１記載の電話機。
【請求項３】
前記所定の入力とは、携帯電話機の機能を制限する制限信号を受信することであり、
前記電話機は、更に、
前記制限信号を受信する受信手段と、
受信した制限信号に対応して出力すべき時間情報を記憶する記憶手段と、
受信した制限信号に応じて、前記記憶手段を検索して出力すべき時間情報を決定する決定手段とを備え、
前記伝達手段は、時間情報として前記決定手段が決定した時間情報を伝達する
ことを特徴とする請求項１記載の電話機。
【請求項４】
前記制御手段は、前記経過時間が前記時間情報で示される時間を超過すると、前記所定の制御として通話を終了する
ことを特徴とする請求項１記載の電話機。
【請求項５】
前記電話機は、更に、
前記経過時間が計測され始めてから前記時間情報で示される時間を超過するまでの間に、ユーザからの入力を受け付けて前記制御手段による通話の終了に関する制御を抑止する抑止手段を備える
ことを特徴とする請求項４記載の電話機。
【請求項６】
前記電話機は、更に、
前記制御手段が通話を終了させた場合に、自機の設定を着信があったときに音声で報知しないマナーモードに設定する設定手段を備える
ことを特徴とする請求項１記載の電話機。
【請求項７】
電話機において通話時間に関する制御を行う通話制御方法であって、
通話中に所定の入力を検出する検出ステップと、
前記検出ステップで検出された所定の入力の内容に従って通話を終了する時間情報を通話相手に送信する送信ステップと、
前記所定の入力を検出した後に、経過時間を計測する計測ステップと、
前記経過時間と前記時間情報で示される時間とを比較し、比較した結果に応じた所定の制御を実行する制御ステップとを含む
ことを特徴とする通話制御方法。
【発明の詳細な説明】
【技術分野】
【０００１】
本発明は、電話機における通話に関し、特に通話の制限に関する。
【背景技術】
【０００２】
近年、携帯電話機におけるマナーが重要視されている。使用上のマナーとしては、例えば、公共の場において着信音を鳴らさないとか、電車に乗っているときの通話の制限などがある。携帯電話機には、ユーザがマナーを守らせるための機能として、例えば、着呼を受けたときに着信音を音声で報知しないマナーモードなどの機能がある。但しマナーモードに設定するか否かは、ユーザの自主性に重きがおかれ、実際に、マナーに従うか否かはユーザの任意による。
【０００３】
通話の制限に関しては、例えば、特許文献１に示すものがある。
【特許文献１】特開２００３−２２４８８１号公報
【発明の開示】
【発明が解決しようとする課題】
【０００４】
ところで、通話途中でユーザは、通話時間が制限されてしまう状況に遭遇することがある。例えば、ユーザが駅のホームに向かいながら通話している状況で、しばらくしたら電車に乗らなければならない状況などである。このような状況においては、通話を終了し、電話機をマナーモードに設定したりするのが望ましい。ただ、会話が弾んだりしていた場合、なかなか通話をきりがたいというのは一般的なユーザ心理といえる。ユーザによっては、通話相手に断って、通話を切るだろうがその内容を通達する時間も惜しいこともあるだろう。現状においては、このような場合に、電話機では、ユーザが通話相手に断ってオンフックキーが押下されることにより通話を切る以外に方法がなく、ユーザによっては、通話をきることが心理的負担になる。
【０００５】
従来の技術におけるマナーモードの設定などは、もともと着呼時に周囲に音声を報知して迷惑をかけないための機能であり、携帯電話機では、通話中において、ユーザが通話が可能な時間が制限されてしまった場合に対応できる機能がないのが現状である。
【０００６】
そこで、本発明においては、上述したような状態において、通話中に、通話相手に対して通話時間が制限されることを容易に通知でき、かつ、通話を予定通りに終了できる電話機を提供することを目的とする。
【課題を解決するための手段】
【０００７】
上記課題を解決するため、本発明は、電話機であって、通話中に所定の入力を検出する検出手段と、前記検出手段で検出した所定の入力の内容に従って、通話を終了する時間情報を通話相手に伝達する伝達手段と、前記所定の入力を検出した後に、経過時間を計測する計測手段と、前記経過時間と前記時間情報で示される時間とを比較し、比較した結果に応じた所定の制御を実行する制御手段とを備えることを特徴としている。
【０００８】
また、電話機において通話時間に関する制御を行う通話制御方法であって、通話中に所定の入力を検出する検出ステップと、前記検出ステップで検出された所定の入力の内容に従って通話を終了する時間情報を通話相手に送信する送信ステップと、前記所定の入力を検出した後に、経過時間を計測する計測ステップと、前記経過時間と前記時間情報で示される時間とを比較し、比較した結果に応じた所定の制御を実行する制御ステップとを含むことを特徴としている。
【０００９】
ここで所定の制御とは、例えば、通話の終了、通話時間の経過の報知などがある。
【発明の効果】
【００１０】
上述のような構成によって、通話中に通話相手に対して、通話時間が制限される旨を通達できる。
【発明を実施するための最良の形態】
【００１１】
＜実施の形態＞
＜概要＞
本発明に係る電話機は、通話中に、通話相手の電話機に対して、通話可能な残り時間を通達する。そして、電話機は、通話可能な時間が限られていることを通達したときから、通達した通話可能な時間が経過すると強制的に通話を終了する。
＜構成＞
以下、本発明の一実施形態である携帯電話機について図面を用いて説明する。
【００１２】
図１は、携帯電話機１００の外観図であり、図２は、携帯電話機１００の機能構成を示した機能ブロック図である。図１に示すように携帯電話機１００は、操作部１２０としてテンキー群や、オフフックキー１２１、オンフックキー１２２を含んで構成される。
【００１３】
図２に示すように、携帯電話機１００は、通信部１１０と、操作部１２０と、音声処理部１３０と、表示部１４０と、タイマ１５０、記憶部１６０と、制御部１７０とを含んで構成される。
【００１４】
通信部１１０は、アンテナ１１１から受け取った受信信号を受話音声信号及び受信データ信号に復調し、復調した受話音声信号や、受信データ信号を制御部１７０に出力する機能を有する。また、通信部１１０は、音声処理部１３０でＡ／Ｄ変換された送話音声信号、及び制御部１７０から与えられる電子メールなどの送信データ信号を変調し、通信用アンテナ１１１から出力する機能を有する。
【００１５】
操作部１２０は、テンキー群、オンフックキー、オフフックキー、方向キー、決定キー、メールキー、サイドキーなどを含み、ユーザの操作を受け付け、受け付けた操作内容を制御部１７０に出力する機能を有する。
【００１６】
音声処理部１３０は、通信部１１０から出力された受話音声信号をＤ／Ａ変換してスピーカ１３２に出力する機能と、マイク１３１から取得した送話音声信号をＡ／Ｄ変換し、変換された信号を制御部１７０に出力する機能を有する。
【００１７】
表示部１４０は、ＬＣＤ（Liquid Crystal Display）などによって実現されるディスプレイを含み、制御部１７０の指示による画像をディスプレイに表示する機能を有する。
【００１８】
タイマ１５０は、制御部１７０からの指示に従い、経過した通話時間をカウントする機能を有する。具体的には、タイマ１５０は、制御部１７０から指定された通話時間をカウントダウンする。また、タイマ１５０は、時間が残り１分になったタイミングと、０になったタイミングで、その旨を制御部１７０に通知する機能も有する。
【００１９】
記憶部１６０は、ＲＯＭ（Read Only Memory）、ＲＡＭ（Random Access Memory）を含んで構成され、小型ハードディスクや不揮発性メモリなどによって実現される。記憶部１６０は、携帯電話機１００の動作上必要な各種データやプログラムの他、音楽データや画像データなどを記憶する機能を有する。音楽データは、例えば、通信部１１０を介して、ネットからダウンロードされたコンテンツであり、操作部１２０でユーザからの指示を受け付けて、スピーカ１３２からその音声が出力される。また、画像データは、例えば、携帯電話機１００に備えられたカメラ（図示せず）により撮影された画像であり、画像データの内容が表示部１４０において表示されたり、画像データがメールに添付されて通信部１１０を介して通信先に送信されたりする。
【００２０】
また、記憶部１６０は、コマンド表３００を保持している。
【００２１】
制御部１７０は、ＣＰＵ（Central Processing Unit）であり、携帯電話機１００の各部を制御する機能を有する。
【００２２】
また、制御部１７０は、通話中にユーザーからの操作部１２０への所定のコマンド入力があるかを検出する。そして、制御部１７０は、コマンド入力があった場合に、記憶部１６０が保持するコマンド表３００から入力されたコマンドに対応する報知メッセージを取得する。そして、取得した報知メッセージを音声処理部１３０に出力させる。制御部１７０は、操作部１２０でユーザからのコマンド入力を受け付けたタイミングから、コマンド表３００のコマンドに対応する時間を報知メッセージから取得し、タイマ１５０にカウントダウンさせる。そして、タイマ１５０から、カウントが残り１分になった時点で、通話時間が残り１分である旨を示す音声メッセージを音声処理部１３０に出力させる。タイマ１５０からカウントが０になった通知を受け付けた場合には、制御部１７０は、通信部１１０に通話の回線を強制的に遮断させる。
【００２３】
以上が携帯電話機１００の各部の説明である。
＜データ＞
次に、記憶部１６０が保持し、本実施の形態において携帯電話機１００に必須となるコマンド表３００について説明する。図３は、記憶部１６０が記憶しているコマンド表３００のデータ概念図である。
【００２４】
コマンド表３００は、ユーザから入力されるコマンド、つまり入力内容に対応付けて、報知すべき報知メッセージを対応させた表である。
【００２５】
例えば、通話中に、「＃１＃」というコマンドが入力された場合に報知されるメッセージは、「まもなく電車に乗りますので残り３分で通話を切らせていただきます。」となる。この報知メッセージは、音声でスピーカ１３２から出力される。なお、記憶部１６０には、報知メッセージ中の時間の情報が、タイマ１５０がカウントすべき時間として対応付けて記憶されており、例えば「＃１＃」というコマンドが入力された場合には、タイマ１５０は３分をカウントすることとなる。
【００２６】
このコマンドと報知メッセージとは予めユーザによって設定される。音声メッセージはユーザの声を録音したものであってもよいし、合成機械音声であってもよい。携帯電話機１００は、ユーザがコマンドを使いわけることで、ユーザの状況に応じた、通話時間が制限される報知メッセージを報知できる。
＜動作＞
次に、本実施の形態における通話を行っている携帯電話機間のやり取りを図４に示すタイミングチャートを用いて説明する。
【００２７】
携帯電話機１００と携帯電話機２００との間で通話がなされていたとする（ステップＳ４０１）。
【００２８】
そして、携帯電話機１００のユーザは通話を終了しなければならず、通話を終了するためのコマンド、例えば「＃１＃」を入力する。携帯電話機１００は、当該コマンドの入力を受け付ける（ステップＳ４０２）と、入力されたコマンドに対応する報知メッセージを出力する。
【００２９】
音声で報知された報知メッセージは、携帯電話機１００のマイクを通じて、携帯電話機２００に通達される（ステップＳ４０３）。
【００３０】
コマンドの入力を受け付けた携帯電話機１００は、受け付けたコマンドに対応する時間をカウントしはじめる（ステップＳ４０４）。
【００３１】
携帯電話機１００は、通話時間の残りが所定時間（例えば１分）になると、その旨を報知する（ステップＳ４０５）。報知されたメッセージは携帯電話機２００に通達される。
【００３２】
そして、携帯電話機１００が、通話時間をカウントし終えると（ステップＳ４０６）、携帯電話機１００が通話回線を遮断することにより、携帯電話機１００と携帯電話機２００とは通話を終了する（ステップＳ４０７）。
【００３３】
では、ここから、携帯電話機１００の通話中の通話の強制終了に関する動作を図５のフローチャートを用いて説明する。
【００３４】
通話中、携帯電話機１００の制御部１７０は、操作部１２０から、ユーザからコマンド入力があるか否かを検出する（ステップＳ５０１）。
【００３５】
ユーザからコマンド入力があった場合（ステップＳ５０１のＹＥＳ）に、制御部１７０は、コマンド表３００を参照して、入力されたコマンドに対応する報知メッセージと、カウントする時間を読み出す（ステップＳ５０２）。
【００３６】
制御部１７０は、読み出した報知メッセージを音声処理部１３０に報知させる（ステップＳ５０３）。
【００３７】
それとともに、制御部１７０は、読み出した時間をタイマ１５０に伝達し、当該時間をカウントダウンさせる（ステップＳ５０４）。
【００３８】
タイマ１５０は、カウントしている時間が残り１分になった時点で、その旨を制御部１７０に伝達する。制御部１７０は、音声処理部１３０に通話時間が残り１分になったことを報知させる（ステップＳ５０５）。
【００３９】
タイマ１５０は、カウントしている時間が０になった時点で、その旨を制御部１７０に伝達する。すると制御部１７０は、通信部１１０に通話回線の遮断を指示する。これにより、通話が強制的に終了され、携帯電話機１００は、処理を終了する。
【００４０】
ユーザからのコマンド入力がなかった場合（ステップＳ５０１のＮＯ）には、制御部１７０は、操作部１２０がユーザからのオンフックキー１２２の押下があるか否かを検出する（ステップＳ５０７）。オンフックキー１２２の押下が検出されない場合（ステップＳ５０７のＮＯ）には、制御部１７０は、ステップＳ５０１の処理に戻り、以降の処理を実行する。
【００４１】
オンフックキー１２２が押下された場合（ステップＳ５０７のＹＥＳ）には、制御部１７０、通信部１１０に通話の終了を指示し、通信部１１０は通話回線を遮断して、処理を終了する。
【００４２】
以上に説明してきたように、本発明に係る携帯電話機１００は、通話中に、ユーザからのコマンド入力を受け付けた場合に、コマンドを受け付けたときから受け付けたコマンドに対応する時間が経過した場合には、その時点で通話を強制的に終了する。これにより、ユーザが通話中に通話をきらねばならない事態になったときに、通話を終了しなければならないことを会話に織り交ぜることなく通話相手に通知することができるとともに、ユーザが定めた時間の通りに通話を終了することができる。また、セールスなどの営業の電話を切りにくいユーザにとっても、コマンドを入力するだけで、ユーザ自身が通知することなく通話を終了する旨を通達して、通話を終了することができる。
＜補足＞
上記実施形態において、本発明の実施の手法について説明してきたが、本発明の実施形態がこれに限られないことは勿論である。以下、上記実施形態以外に本発明の思想として含まれる各種の変形例について説明する。
（１）上記実施形態では、本発明に係る電話機として、携帯電話機を例に説明したが、電話機は、通話とメッセージを報知する機能を有する機器であればよく、例えば通話機能を有するPDA（Personal Digital Assistants)や、据え置き型の電話機などであってもよい。
（２）上記実施の形態では、通話中に予め設定の複数キーを入力することで、報知メッセージを報知し、タイマを起動するトリガにした。これは報知メッセージをユーザが使い分けるために行っていたことであるが、報知メッセージの個数が限定されるのであれば、予め１つのキーに１つの報知メッセージを対応付けておき、通話中にそのキーが押下されたことをトリガにしてもよい。例えば、サイドキーの押下をこのトリガとする構成にしてもよい。
（３）上記実施の形態では、「＃１＃」などの所定のコマンドを受け付けた場合に、そのまま定められた時間が経過したならば通話を強制終了する構成となっている。しかし、通話を強制終了するためのコマンドを入力したものの、ユーザによっては、通話を継続したくなる事態が想定される。
【００４３】
そこで、携帯電話機１００には更に以下の構成をもたせてもよい。つまり、制御部１７０は、タイマ１５０が定められた通話時間の経過をカウントするまで、操作部１２０からユーザからの所定の入力があるか否かをモニタする。そして、制御部１７０は、当該所定の入力があった場合には、タイマ１５０にカウントを終了させ、通話の強制終了のプロセスを停止する。所定の入力としては、例えば、クリアキーの押下などを通話の強制終了のプロセスを終了するためのトリガとして割り当てればよい。携帯電話機の場合、通話の強制終了の解除は、通話している状態を鑑みて、サイドキーに割り当てることが望ましい。
【００４４】
これにより、通話の強制終了を実行する入力を行った後でも、当該通話の強制終了のためのプロセスを中止して通話を継続させることができる。
（４）上記実施の形態では、通話の残り時間は、音声によってユーザに通知されたが、ディスプレイにその旨を表示してもよい。この場合、携帯電話機１００は、発呼側の携帯電話機に対して、通話中に通話が残り１分だけである旨を示す信号を送信する。そして発呼側の携帯電話機は受信した信号に基づいて、通話が残り１分であることを示す情報を表示してもよいし、受信した信号に基づいて、通話時間が残り１分であることを示す音声メッセージを報知してもよい。
（５）上記実施の形態においては、通話時間が残り１分になったタイミングで、その旨を示す音声メッセージを報知することとした。しかし、この１分は例えば、残り３０秒など、別の時間であってもよい。
【００４５】
さらには、１回だけでなく、通話時間が残り２分、１分、３０秒になったときなど、複数回にわたって通話時間の残り時間を報知してもよい。
（６）上記実施の形態では、通話を強制終了した後のことを特に記述しなかったが、通話の強制終了をした場合に、その旨を示すアイコン等をディスプレイに表示してもよい。
【００４６】
これにより、通話を強制終了した場合には、話題が中途のまま終わっていた場合にも、ユーザに後々、通話が途中であったことを認識させることができる。
【００４７】
更には、通話を強制終了した後、ユーザは通話できない状態が継続することが考えられる。よって、通話の強制終了を実行した場合には、制御部１７０が、自機をバイブレータの振動による着信等の報知を行うマナーモードに設定する構成にしてもよいし、電源を落とす構成にしてもよい。
【００４８】
通話を強制終了した後は、ユーザは電車への乗車、会議への出席など、通話できない場合が多いことが考えられる。そのような状態においては、音声による報知を行うことは周囲に対して迷惑をかけることになるので、マナーモードに設定することが望ましいが、上記構成を備えることで、電話機は自動的にマナーモードに移行することができる。
（７）上記実施の形態では、ユーザからのキー入力をトリガに通話中において通話が強制終了される構成を示した。ここで、キー入力以外にも、所定の信号を受信したことをトリガとしてもよい。
【００４９】
ここで、所定の信号とは、携帯電話機の使用、もしくは一部機能の使用を制限する信号である。
【００５０】
電車内や、病院内など、携帯電話機の使用が禁止もしくは制限される区域がある。そのような区域には、携帯電話機を使用することを禁止する信号を発信する装置が設置することが考えられる。
【００５１】
そこで、そのような携帯電話機を使用することを禁止する信号を受信したことをトリガに、当該信号を通話中に受信したのならば、強制的に所定時間で通話を終了してもよい。そのためには、上記実施の形態に示したコマンド表には、当該信号の情報、例えばＩＤなどと、報知するメッセージとを対応付けて記憶しておく構成にする。
【００５２】
通常、病院内などでは携帯電話機の使用を控えるように病院側から通知されている。しかし、これに従うかどうかはユーザの任意による。上記構成は、携帯電話機の使用を制限する信号を受けた場合に、通話の制限処理を実行し、通話が強制的に終了されることに伴うユーザに与える不快感を抑えながら、ユーザマナーの向上に貢献することができる。
（８）上記実施の形態では、着呼側の携帯電話機で発声された通話終了１分前の音声メッセージや、通話が強制終了される旨の音声メッセージが、携帯電話機のマイクに拾われることで、発呼側の電話機にも通達することとした。しかし、これは、直接、報知メッセージの音声パケットを送信して発呼側の電話機のスピーカーから報知することとしてよい。
（９）上記実施の形態では、タイマは時間をカウントダウンすることとしたが、時間を０からカウントアップしていき、制御部１７０がその時間をモニタして、指定されている時間になっているかで、通話終了１分間の警告や、通話終了の制御を行ってもよい。
（１０）上記実施の形態においては、コマンドが入力された場合に、そのコマンドに対応する音声メッセージがそのまま報知されることとした。しかし、更に、このコマンドで時間を指定できるように構成してもよい。
【００５３】
例えば、コマンドの構成を「＃Ｘ＃Ｙ＃」とする。ここで、ＸとＹではユーザは、数字キーを押下することとし、Ｘは、報知するメッセージ内容を指定するための数字であり、Ｙは、通話時間を指定する分数を指定するための数字である。なお、Ｘ、Ｙは２桁以上の数字であってもよい。
【００５４】
電話機は、図３に示すような、コマンド表を記憶するに当たり、時間情報については、空欄の状態で記憶しておく。そして、報知を行う際には、入力されたＹに対応する時間を示す音声メッセージを当てはめて報知することとなる。
（１１）上記実施の形態においては、通話開始後、時間情報で示される時間が経過した場合には、通話を終了することとした。しかし、通話を終了するのではなく、時間情報で示される時間が経過したことを予め記憶してある音声などにより、指定された時間が経過したことを報知するだけに留めてもよい。
（１２）上記実施の形態で示した通信に係る動作、通話中の通話の強制終了処理等（図５参照）を携帯電話機等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【００５５】
本発明に係る電話機は、通話中に決まられた時間で通話を切ることができる電話機として、携帯電話機などに活用することができる。
【図面の簡単な説明】
【００５６】
【図１】携帯電話機１００の外観図である。
【図２】携帯電話機１００の機能構成を示した機能ブロック図である。
【図３】通話中の入力に対応するメッセージを示したコマンド表３００である。
【図４】携帯電話機１００と携帯電話機２００との間の通話中における強制終了のためのやり取りを示したタイミングチャートである。
【図５】通話中において通話を強制終了させる際の携帯電話機１００の動作を示したフローチャートである。
【符号の説明】
【００５７】
１００  携帯電話機
１１０  通信部
１１１  アンテナ
１２０  操作部
１３０  音声処理部
１３１  マイク
１３２  スピーカー
１４０  表示部
１５０  タイマ
１６０  記憶部
１７０  制御部
３００  コマンド表
【図１】
2009212601.tif 000003
【図２】
2009212601.tif 000004
【図３】
2009212601.tif 000005
【図４】
2009212601.tif 000006
【図５】
2009212601.tif 000007